(57)【要約】【課題】  歩行用誘導マーカーの取扱い、施工性、および施工時の位置精度を改善する。【解決手段】  表側が凸状となったマーカー本体２１を少なくとも有する歩行用誘導マーカー２０を整列して保持するガイドゲージ１０であって、樹脂材からなる平面状のシート部１１と、シート部１１に複数整列して設けられ、マーカー本体２１の凸状部分の少なくとも一部に合致する斜面を有してなる凹部１２と、凹部１２のシート部１１側の縁に形成され、前記斜面との間でマーカー本体２１を保持する係止部１３とを備えるガイドゲージを構成する。そして、凹部１２に歩行用誘導マーカー２０を取り付けて施工用仮組体１を構成する。【選択図】      図２
2005261850.tif 000002
【特許請求の範囲】
【請求項１】
表側が凸状となったマーカー本体を少なくとも有する歩行用誘導マーカーを整列して保持するガイドゲージであって、
平面状のシート部と、
前記シート部に複数整列して設けられ、前記マーカー本体の凸状部分の少なくとも一部に合致する斜面部を有してなる凹部と、
前記凹部の前記シート部側の縁に形成され、前記斜面部との間で前記マーカー本体を保持する係止部と、
を備えることを特徴とするガイドゲージ。
【請求項２】
前記凹部の底部は開口を有することを特徴とする請求項１に記載のガイドゲージ。
【請求項３】
前記シート部は、その外周に位置合わせ用の線が表示されていることを特徴とする請求項１または請求項２に記載のガイドゲージ。
【請求項４】
前記シート部は、補強用のリブを有することを特徴とする請求項１から請求項３のいずれか１項に記載のガイドゲージ。
【請求項５】
請求項１から請求項４のいずれか１項に記載のガイドゲージと、
前記ガイドゲージの各凹部に保持させた歩行用誘導マーカーとを備えてなることを特徴とする歩行用誘導マーカーの施工用仮組体。
【請求項６】
請求項２に記載のガイドゲージと、
前記ガイドゲージの各凹部に保持させた歩行用誘導マーカーと、
前記歩行用誘導マーカーの表側から前記ガイドゲージの開口を塞ぎつつ前記歩行用誘導マーカーのずれを防止すべく貼着された粘着シートとを備えてなることを特徴とする歩行用誘導マーカーの施工用仮組体。
【請求項７】
前記歩行用誘導マーカーは、前記マーカー本体の裏面に粘着材を有し、この粘着材を覆う剥離シートを設けたことを特徴とする請求項５または請求項６に記載の歩行用誘導マーカーの施工用仮組体。
【請求項８】
前記歩行用誘導マーカーは、前記マーカー本体と一体に設けられた脚部を有することを特徴とする請求項５または請求項６に記載の歩行用誘導マーカーの施工用仮組体。
【請求項９】
前記脚部の配列に沿って形成された、端部まで延びる複数の平行なスリットを有する脚部保持シートを、そのスリットを前記歩行用誘導マーカーの脚部に嵌め合わせた状態でさらに備えたことを特徴とする請求項８に記載の歩行用誘導マーカーの施工用仮組体。
【発明の詳細な説明】
【技術分野】
【０００１】
本発明は、歩行用誘導マーカーを施工するのに使用するガイドゲージおよびこのガイドゲージに歩行用誘導マーカーを備えた歩行用誘導マーカーの施工用仮組体に関する。
【背景技術】
【０００２】
従来、オフィスビル、商業ビル、歩道、駅構内などの施設に設置される歩行用誘導マーカーは、その床面に対して各マーカーを個々に貼り付けていくものであった。すなわち、各マーカーは一つずつ位置決めをするとともに接着剤などで固定されていた。
【０００３】
しかし、そのような施工方法は作業者にとってきわめて手間がかかることから、歩行用誘導マーカーをあらかじめ整列して保持しておくためのガイドゲージ（基枠）が知られている（例えば、特許文献１参照）
【０００４】
このガイドゲージは、正方形の板状部材に歩行用誘導マーカーを保持するための収容用空所が複数整列して設けられたものであるが、この収容用空所は単なる貫通孔であったため、歩行用誘導マーカーの保持力および保持位置の精度が十分でなかった。
すなわち、ガイドゲージに配列された歩行用誘導マーカーは、貫通孔と歩行用誘導マーカーの外形の嵌め合いによってのみ保持されるか、裏面（床面側の面）の粘着材を覆う剥離シート（セパレータ）によって保持される程度のものであったため、その保持力は十分とはいえなかった。そのため、金属製の歩行用誘導マーカーなど、重量が大きい歩行用誘導マーカーを保持することは不可能であり、実際上、樹脂製の歩行用誘導マーカーにしか利用できなかった。
【０００５】
また、実際の適用上は、嵌め合いによる保持を可能とするため、ガイドゲージは、段ボールなど、歩行用誘導マーカーを入れることで多少変形する部材を用いる必要がある。そうすると、歩行用誘導マーカーが収容用空所に斜めに入ったり、若しくは運搬中にガイドゲージが立てて置かれることで、歩行用誘導マーカーが自身の重みによりずれたりすることがあった。そのため、このずれに気付かずに作業者が施工を行うと、施工された歩行用誘導マーカーが予期せずずれてしまうという問題があった。
【０００６】
また、歩行用誘導マーカーには、長方形タイプのものがあるが、従来のガイドゲージでは、強度が不十分であることから、中折れが発生し、作業上不便であった。
【特許文献１】登録実用新案第３０５０２７７号明細書
【発明の開示】
【発明が解決しようとする課題】
【０００７】
以上のような背景に鑑みて本発明がなされたものであり、本発明は、歩行用誘導マーカーを確実に保持し、その位置精度を確保することができるガイドゲージ、および歩行用誘導マーカーの施工用仮組体を提供することを課題とする。
【課題を解決するための手段】
【０００８】
前記課題を解決するため本発明は、表側が凸状となったマーカー本体を少なくとも有する歩行用誘導マーカーを整列して保持するガイドゲージであって、平面状のシート部と、前記シート部に複数整列して設けられ、前記マーカー本体の凸状部分の少なくとも一部に合致する斜面部を有してなる凹部と、前記凹部の前記シート部側の縁に形成され、前記斜面部との間で前記マーカー本体を保持する係止部とを備えることを特徴とする。
【０００９】
このようなガイドゲージによれば、凹部と、凹部の縁に形成された係止部とで歩行用誘導マーカーを保持することから、歩行用誘導マーカーの保持が確実となる。すなわち、歩行用誘導マーカーは、通常、断面が台形ないしは半円形となっているが、その外周縁部だけでなく、台形や半円の斜面に合致するガイドゲージの斜面部と、係止部とで歩行用誘導マーカーを挟み込むため、歩行用誘導マーカーの位置がずれにくく、施工した歩行用誘導マーカーの配列精度も高くなる。また、ガイドゲージを樹脂製とすることで、歩行用誘導マーカーの重みにより保持部分が変形することもなく、位置ずれがしにくい。さらに、保持力が強いことから、金属、石、磁器製の歩行用誘導マーカーにも適用することが可能となる。
また、ガイドゲージの材質は樹脂製とするのが望ましく、その場合には長方形のタイプの歩行用誘導マーカーに適用しても、中折れすることなく、作業性が向上する。もっとも、樹脂と同等の強度を持つ紙などの素材により構成してもよい。
【００１０】
前記したガイドゲージにおいては、前記凹部の底部は開口を有するのが望ましい。このように開口を設けておくことで、施工時に開口から歩行用誘導マーカーを押し出すことができるので作業性がよい。
【００１１】
前記したガイドゲージにおいては、前記シート部は、その外周に位置合わせ用の線が表示されているのが望ましい。このように、位置合わせ用の線が表示されていると、施工時に隣り合うガイドゲージと線を合わせることで、位置決めが可能となる。
【００１２】
前記したガイドゲージにおいては、前記シート部が、補強用のリブを有するのが望ましい。このように補強用のリブを設けておくことで、ガイドゲージの剛性が保たれ、運搬時および施工時に取り扱いやすくなる。
【００１３】
前記したガイドゲージは、予め対応する歩行用誘導マーカーを取り付けておくことで、施工時の作業性は飛躍的に向上する。すなわち、本発明は、前記したガイドゲージと、前記ガイドゲージの各凹部に保持させた歩行用誘導マーカーとを備えてなる歩行用誘導マーカーの施工用仮組体を提供する。
【００１４】
このような歩行用誘導マーカーの施工用仮組体によれば、作業者は、自ら施工場所で歩行用誘導マーカーを配列する必要が無く、工期を飛躍的に短くすることができる。
【００１５】
特に、歩行用誘導マーカーの位置精度を向上するためには、前記した開口を設けたガイドゲージと、前記ガイドゲージの各凹部に保持させた歩行用誘導マーカーと、前記歩行用誘導マーカーの表側から前記ガイドゲージの開口を塞ぎつつ前記歩行用誘導マーカーのずれを防止すべく貼着された粘着シートとを備えて歩行用誘導マーカーの施工用仮組体を構成するとよい。
このような歩行用誘導マーカーの施工用仮組体によれば、粘着シートが開口を通して歩行用誘導マーカーの位置を維持するため、運搬時に粗雑に取り扱われても歩行用誘導マーカーの位置精度を確保することができる。
【００１６】
また、前記歩行用誘導マーカーは、前記マーカー本体の裏面に粘着材を有し、この粘着材を覆う剥離シートを設けておくのが望ましい。このように、粘着材を設けておくことで、作業者は粘着剤や接着剤をつける手間が省け、作業が効率的になる。また、剥離シートにより、施工用仮組体の保管時、運搬時に粘着材の貼り付きを防止できる。
【００１７】
さらに、前記歩行用誘導マーカーは、前記マーカー本体と一体に設けられた脚部を有するものに適用することもできる。そして、この場合においては、前記脚部の配列に沿って形成された、端部まで延びる複数の平行なスリットを有する脚部保持シートを、そのスリットを前記歩行用誘導マーカーの脚部に嵌め合わせた状態でさらに備えるのが望ましい。脚部を有する歩行用誘導マーカーを施工するときには、床面に配列して設けた複数の取付孔に脚部を挿入するのであるが、このような脚部保持シートがあれば、施工時に脚部が揺れたり曲がったりしないため、複数の取付孔に歩行用誘導マーカーの脚部を容易に同時に挿入することができる。脚部保持シートのスリットは、平行な複数のスリットであり、脚部保持シートはいわば櫛状となっているため、挿入後、スリットの方向に沿って引き抜けば、容易に取り外すことができる。
【発明の効果】
【００１８】
本発明のガイドゲージおよび施工用仮組体によれば、以下のような効果を奏する。
凹部と、凹部の縁に形成された係止部とで歩行用誘導マーカーを保持することから、歩行用誘導マーカーの保持が確実となる。また、保持力が強いことから、金属製の歩行用誘導マーカーにも適用することが可能となる。ひいては、金属製の歩行用誘導マーカーに適用することで、接着性も改善することができる。
【００１９】
凹部の底部に開口を設けておくことで、施工時に開口から歩行用誘導マーカーを押し出すことができるので作業性がよい。
【００２０】
シート部の外周に位置合わせ用の線を表示しておくと、施工時に隣り合うガイドゲージと線を合わせることで、位置決めが可能となる。
【００２１】
前記シート部に、補強用のリブを設ければ、ガイドゲージの剛性が保たれ、運搬時および施工時に取り扱いやすくなる。
【００２２】
歩行用誘導マーカーの位置精度を向上するため、前記歩行用誘導マーカーの表側から前記ガイドゲージの開口を塞ぎつつ前記歩行用誘導マーカーに貼着された粘着シートとを備えれば、粘着シートが開口を通して歩行用誘導マーカーの位置を維持するため、運搬時に粗雑に取り扱われても歩行用誘導マーカーの位置精度を確保することができる。
【００２３】
前記マーカー本体の裏面に粘着材を備え、この粘着材を覆う剥離シートを設けておけば、作業者は粘着剤や接着剤をつける手間が省け、作業が効率的になる。また、剥離シートにより、施工用仮組体の保管時、運搬時に粘着材の貼り付きを防止できる。
【００２４】
さらに、前記歩行用誘導マーカーは、前記マーカー本体と一体に設けられた脚部を有するものに適用し、脚部保持シートを、そのスリットを脚部に嵌め合わせた状態で備えれば、施工時に脚部が揺れたり曲がったりしないため、複数の取付孔に歩行用誘導マーカーの脚部を容易に同時に挿入することができる。
【発明を実施するための最良の形態】
【００２５】
［第１の実施形態］
次に、本発明の実施形態について、適宜図面を参照しながら詳細に説明する。参照する図において、図１は、第１実施形態に係る施工用仮組体の分解斜視図、図２は、施工用仮組体の図１におけるＡ−Ａ線断面図、図３は、第１実施形態に係る施工用仮組体の施工時の平面図である。
図１に示すように、第１実施形態に係る歩行用誘導マーカーの施工用仮組体１は、歩行用誘導マーカー２０と、歩行用誘導マーカー２０を整列して保持するガイドゲージ１０と、剥離紙３０（剥離シート）と、粘着シート４０とを備えて構成されている。なお、剥離紙３０と粘着シート４０は、任意的要素である。
【００２６】
図２に示すように、歩行用誘導マーカー２０は、表側が凸状となった円錐台形状のマーカー本体２１と、シート状の粘着材２２とから構成されている。なお、本明細書において、マーカー本体２１の、施工時に床面に向く側（図２における下側）を裏側とし、反対側を表側とする。
マーカー本体２１は、円錐面を形成する斜面部２１ａ、平面状の上面２１ｂ、平面状の下面２１ｃを有し、下面２１ｃに、前記粘着材２２が貼着されている。なお、マーカー本体２１は、熱可塑性樹脂などの樹脂材料や、金属材料、もしくは、これらの組合せからなっている。
粘着材２２は、たとえばブチルゴムなどの粘着剤からなっている。
【００２７】
ガイドゲージ１０は、例えば樹脂製のシートを真空成形などにより成形したものであり、前記したマーカー本体２１を複数保持するものである。ガイドゲージ１０は、正方形をなす平面状のシート部１１と、シート部１１に複数整列して設けられた凹部１２と、凹部１２のシート部１１側の縁部に設けられた係止部１３とを備えて構成されている。
凹部１２は、マーカー本体２１の斜面部２１ａに合致する斜面部１２ａと、上面２１ｂの周縁部に合致する底部１２ｂとからなっている。そして、係止部１３は、凹部１２の入り口を狭めるように内側に若干せり出して形成されている。なお、本実施形態においては、係止部１３は、凹部１２の円形の縁部に全周にわたって設けられているが（図示せず）、全周に設けずとも、３カ所、４カ所などに断続的に設けることもできる。係止部１３は、このように断続的に設けた方が、可撓性が高まり、歩行用誘導マーカー２０にガイドゲージ１０にセットしやすく、また取り外しやすい。
【００２８】
ガイドゲージ１０のシート材料は、ポリエチレンテレフタレート（ＰＥＴ）、ポリプロピレン、ポリエチレンなど、可撓性を備えるものであれば特に限定されないが、適度な可撓性、剛性を考慮すると、ＰＥＴが特に好適である。ガイドゲージ１０の厚さは、柔軟性（可撓性）と剛性の両方を兼ね備えることを考慮すると、０．２〜１．５ｍｍ程度であることが望ましい。より望ましくは、シートの厚さは０．２〜０．５ｍｍ程度にしておくのが望ましい。このように薄めのシートにしておくと、施工時に隣り合うガイドゲージ１０と重ね合わせることもでき、ガイドゲージの位置決め時に柔軟なピッチで位置合わせができるからである。
【００２９】
このようなガイドゲージ１０には、補強用のリブを設けてもよい。図４は、ガイドゲージの変形例を示す図であり、（ａ）が平面図、（ｂ）が（ａ）のＢ−Ｂ線断面図である。図４（ａ）に示すように、変形例に係るガイドゲージ１０は、各凹部１２の間、および外側を仕切るように、格子状のリブ１９が形成されている。リブ１９は、図４（ｂ）に示すように、シート部１１を若干絞りつつ立ち上げて形成されている。このようなリブ１９を設けておけば、ガイドゲージ１０の剛性が上がり、取扱いが容易になる。
【００３０】
図２に示すように、前記した凹部１２の底部１２ｂ、すなわち、マーカー本体２１の上面２１ｂに対応する部分には、円形の開口１５が形成されている。開口１５は、施工時に歩行用誘導マーカー２０を押し出す孔としても使用できるし、後述するように粘着シート４０により歩行用誘導マーカー２０の位置を保持する孔としても利用できる。
【００３１】
剥離紙３０は、粘着材２２の貼り付きを防止するとともに、各歩行用誘導マーカー２０の位置のずれを防止するためのものである。剥離紙３０は、ガイドゲージ１０と同程度の大きさであり、１枚の剥離紙３０を歩行用誘導マーカー２０の裏側から貼り付けてある。なお、必ずしもガイドゲージ１０を１枚に対して１枚とする必要はなく、２分割、４分割してガイドゲージ１０の裏側から貼り付けてもよい。また、剥離紙３０は、紙質のものではなく、剥離性の優れた樹脂製のシートでもよい。
【００３２】
粘着シート４０は、ガイドゲージ１０と略同じ正方形の台紙４１の一方の面に粘着層４２を有するシートである。粘着シート４０は、各歩行用誘導マーカー２０の位置を固定するとともに、施工後に施主に引き渡すまでの間、歩行用誘導マーカー２０を保護する機能を果たす。
台紙４１は、ガイドゲージ１０と同様の正方形をなし、対向する２辺の付近が粘着層４２とは逆側にカールして把持部４１ａを形成している。把持部４１ａは、施工後に粘着シート４０を剥がす際につまむ部分である。
粘着層４２は、粘着材をガイドゲージ１０の開口１５に合わせて配列し、台紙４１に設けたものであるが、台紙４１の全面に設けても構わない。
粘着層４２は、開口１５を通してマーカー本体２１の上面２１ｂに貼り付けられ、施工後に台紙４１とともに剥がされる。そのため、粘着層４２は、マーカー本体２１と適度な粘着力で貼り付くとともに、剥離性も良好なものがよい。
【００３３】
図３に示すように、ガイドゲージ１０は、凹部１２がたとえば５行５列にマトリックス状に配列されている。そして、シート部１１の外周には、適宜な位置に位置合わせ用の線１６〜１８が表示してある。具体的には、線１６は、外周から１ｃｍほどオフセットした位置に表示され、線１７は、各辺の中央から、各辺に垂直に数ｃｍほど延びて表示されている。そして、線１８は、線１７から両側に１ｃｍほどオフセットして各辺に垂直に表示されている。これらの線１６〜１８は、ガイドゲージ１０に対し、印刷して表示してもよいし、ひっかき傷により表示してもよい。
このように、位置合わせ用の線１６〜１８を設けておけば、図３に示すように、施工時に隣り合うガイドゲージ１０同士で位置合わせ用の線１６〜１８を合わせることで位置決めが容易に行われる。また、ガイドゲージ１０を２分の１ずらして並べる場合にも、線１８と線１６、外周の辺と線１７を合わせることで、容易に位置合わせが行われる。
これらの線１６〜１８は、位置合わせ用の線の一例であり、施工のレイアウトに応じ、適宜異なる位置、形態で表示することができる。
【００３４】
以上のような構成のガイドゲージ１０および歩行用誘導マーカーの施工用仮組体１の使用方法について説明する。
まず、施工現場で作業を行う前に、ガイドゲージ１０の各凹部１２に、対応する歩行用誘導マーカー２０を嵌め込む。このとき、歩行用誘導マーカー２０の外周縁部は、係止部１３を乗り越えて凹部１２内に入り込み、歩行用誘導マーカー２０は、斜面を有する凹部１２（斜面部１２ａ）と係止部１３との間で保持される。
そして、歩行用誘導マーカー２０の裏側から、剥離紙３０を貼り付ける。
さらに、歩行用誘導マーカー２０の表側から、粘着シート４０を貼り付ける。
このようにして施工用仮組体１が用意できる。
【００３５】
施工用仮組体１は、歩行用誘導マーカー２０をしっかりと保持しており、現場への運搬中などに粗雑に取り扱われても、ガイドゲージ１０から歩行用誘導マーカー２０が脱落したり、位置がずれたりすることはない。そのため、金属製の歩行用誘導マーカーを使用することも可能である。
また、各歩行用誘導マーカー２０は、粘着シート４０により互いの位置が固定されていることから、位置がずれることが確実に防止される。
【００３６】
そして、施工現場においては、剥離紙３０を剥がした後、施工用仮組体１を所定の位置に配列する。この際、位置合わせ用の線１６〜１８を利用して隣り合うガイドゲージ１０の位置合わせを行うことで、配列作業を効率的に行うことができる。なお、剥離紙３０を剥がした後においても、歩行用誘導マーカー２０は、係止部１３の上に位置するため、施工する床面からは若干浮いており、位置合わせするときに粘着材２２が不要に床面に貼り付くことはない。
【００３７】
床面に対する施工用仮組体１の位置合わせができたならば、各歩行用誘導マーカー２０の上面２１ｂを床側に向けて押しつけることで、歩行用誘導マーカー２０を床面に貼り付ける。そして、歩行用誘導マーカー２０が粘着材２２により十分に床面に固着されたあとで、粘着シート４０およびガイドゲージ１０を剥がすと、歩行用誘導マーカー２０のみが床面に正確に配列された状態で固着して施工が完了する。なお、施主に引き渡すまでの間、ガイドゲージ１０および粘着シート４０をつけたままにしておけば、汚れが防止でき養生させることができる。
【００３８】
以上のように、本実施形態のガイドゲージ１０および施工用仮組体１によれば、運搬時などの取扱い時に歩行用誘導マーカー２０位置がずれることがなく、正確な位置で歩行用誘導マーカー２０を配列して施工することができる。
【００３９】
［第２実施形態］
次に本発明の第２実施形態について説明する。第２実施形態は、第１実施形態の歩行用誘導マーカー２０に脚部２３が付いた変形例なので、第１実施形態と同様の部分については、同じ符号を付して詳細な説明を省略する。参照する図において、図５は、第２実施形態に係る施工用仮組体の分解斜視図であり、図６は、施工用仮組体１の図５におけるＣ−Ｃ線断面図である。
【００４０】
図６に示すように、本実施形態に係る歩行用誘導マーカー２０は、脚部２３がマーカー本体２１の下面２１ｃ側から埋め込まれたものである。脚部２３は、胴部２３ａと、胴部２３ａの下側に延び、胴部２３ａより一回り小径のくびれ部２３ｂと、くびれ部２３ｂの下側に延びた胴部２３ａと同径の抜け止め部２３ｃと、胴部２３ａの上に設けられた、頭部２３ｄとを備えている。脚部２３は、施工時に床面に設けられた取付孔（図示せず）に接着剤などにより固定される。その際、くびれ部２３ｂおよび抜け止め部２３ｃがマーカー本体２１の抜け止めとして作用する。また、頭部２３ｄは、胴部２３ａより大きな径を有しており、マーカー本体２１から脚部２３が抜けるのを防止している。
【００４１】
このような歩行用誘導マーカー２０は、図５に示すように、ガイドゲージ１０の各凹部１２に保持されて施工用仮組体１を形成する。そして、整列された歩行用誘導マーカー２０の脚部２３は、脚部保持シート５０により互いの相対的な位置が保持される。
【００４２】
脚部保持シート５０は、ガイドゲージ１０と同様の正方形の樹脂シートであるシート本体５１と、歩行用誘導マーカー２０の脚部２３の配列に沿って形成された、５本のスリット５２と、シート本体５１の一辺から突出して形成されたタブ５３とから構成されている。
スリット５２は、正確には、歩行用誘導マーカー２０の脚部２３のくびれ部２３ｂの太さに合ったスリットとして形成され、互いに平行に、シート本体５１の一端まで延びている。いわば、シート本体５１は、スリット５２により櫛状の形となっている。
タブ５３は、施工時に脚部保持シート５０を引き抜くための取っ手であり、スリット５２が延びる方向の端部にある対向する二辺のうち、スリット５２が端部まで延びていない方の一辺の中央に設けられている。
【００４３】
以上のように構成されたガイドゲージ１０および施工用仮組体１の使用方法について説明する。まず、第一実施形態と同様にして、ガイドゲージ１０の各凹部１２に歩行用誘導マーカー２０を取り付けて、ガイドゲージ１０の上面側から粘着シート４０を貼り付け、さらに、整列された歩行用誘導マーカー２０の脚部２３に脚部保持シート５０のスリット５２を嵌め合わせ、施工用仮組体１を用意する。
そして、施工現場において、床面に歩行用誘導マーカー２０の配列に合った取付孔を形成し、その取付孔にウレタン系やエポキシ系の接着剤を充填する。そして、取付孔に施工用仮組体１に整列された歩行用誘導マーカー２０の脚部２３を挿入する。この際、脚部保持シート５０が各歩行用誘導マーカー２０の位置を保持しているため、脚部２３同士の相対位置がぶれたりせず、各脚部２３を容易に同時に取付孔へ挿入することができる。
そして、タブ５３をつまんで脚部保持シート５０を引き抜き、歩行用誘導マーカー２０を床面へ向けて十分に押しつける。接着剤が十分に固化したならば、粘着シート４０およびガイドゲージ１０を剥がせばよい。
【００４４】
このように本実施形態のガイドゲージ１０および施工用仮組体１によれば、脚部２３を有するタイプの歩行用誘導マーカー２０であっても、取付孔へ脚部２３を容易に挿入できるので施工が効率的に行える。
【００４５】
以上、本発明の実施形態について説明したが、本発明は前記実施の形態には限定されず、適宜変更して実施することが可能である。たとえば、実施形態においては、ドットタイプの歩行用誘導マーカー２０に適用した例を説明したが、図７に示すように、長方形タイプの歩行用誘導マーカー２０´に適用したガイドゲージ１０´および施工用仮組体１´とすることもできる。この場合も、ガイドゲージ１０´の凹部１２´を、歩行用誘導マーカー２０´の形状に合わせて形成すればよい。
【００４６】
また、実施形態においては、断面が台形の歩行用誘導マーカーについて説明したが、表側が曲面状に突出した、断面が略半円形の歩行用誘導マーカーに対しても同様に適用することができる。
【図面の簡単な説明】
【００４７】
【図１】第１実施形態に係る施工用仮組体の分解斜視図である。
【図２】施工用仮組体の図１におけるＡ−Ａ線断面図である。
【図３】第１実施形態に係る施工用仮組体の施工時の平面図である。
【図４】ガイドゲージの変形例を示す図であり、（ａ）が平面図、（ｂ）が（ａ）のＢ−Ｂ線断面図である。
【図５】第２実施形態に係るガイドゲージおよび施工用仮組体の分解斜視図である。
【図６】施工用仮組体の図５におけるＣ−Ｃ線断面図である。
【図７】本発明を長方形タイプの歩行用誘導マーカーに適用した例を示す斜視図である。
【符号の説明】
【００４８】
１      施工用仮組体
１０    ガイドゲージ
１１    シート部
１２    凹部
１３    係止部
１５    開口
１６    線
１７    線
１８    線
１９    リブ
２０    歩行用誘導マーカー
２１    マーカー本体
２２    粘着材
２３    脚部
３０    剥離紙
４０    粘着シート
５０    脚部保持シート
５２    スリット
【図１】
2005261850.tif 000003
【図２】
2005261850.tif 000004
【図３】
2005261850.tif 000005
【図４】
2005261850.tif 000006
【図５】
2005261850.tif 000007
【図６】
2005261850.tif 000008
【図７】
2005261850.tif 000009